(57)【要約】【課題】パッキングがほぼ対称形状であれば、すなわち、上下左右の形状上のずれが僅かでパッキングの弾性変形の範囲内であれば、上下逆に、または左右逆のまま装着（誤装着）される。【解決手段】パッキングの上半部３０ａ1を下半部３０ａ2より大きく形成することにより、パッキングのパッキング本体３０ａはつば３０ｂの幅方向の中心線Ｏ1に対して上下非対称に形成されている。また、中心線Ｘ、Ｙからずれた位置で突片３０ｃがつば３０ｂからさらに外方に飛び出て形成されている。パッキング３０の形状が上下非対称であるため、上下逆の装着は不能となる。また、突片３０ｃが外部に露出することなどにより、誤装着が判別できる。【選択図】図２
2007199233.tif 000002
【特許請求の範囲】
【請求項１】
第１のハウジング部材と、
上記第１のハウジング部材とともに内部空間を形成する第２のハウジング部材と、
上記第１のハウジング部材と上記第２のハウジング部材との間に挟まれた上記内部空間を水密するためのものであって、少なくとも線対称である対称性を有する環状に形成され、上記第１のハウジング部材もしくは上記第２のハウジング部材に装着のとき、該装着が間違っていれるときは該装着が不能とされるか、もしくは装着の後に誤装着したことを判別可能とする誤装着防止手段を有するシール部材と、
を備えたことを特徴とする防水ハウジング。
【請求項２】
上記請求項１の防止ハウジングにおいて、
上記シール部材は、第１の環状帯と、該第１の環状帯の形成された平面に垂直な方向である帯幅方向において該第１の環状帯の該幅中心に位置していない位置に第１の環状帯の全周に形成された突状の第２の環状帯とを有することを特徴とする防水ハウジング。
【請求項３】
上記請求項２の防止ハウジングにおいて、
上記シール部材の上記誤装着防止手段は、上記第２の環状帯の一部からさらに外方に飛び出した突片を有することを特徴とする防水ハウジング。
【請求項４】
上記請求項１の防止ハウジングにおいて、
上記シール部材は、上記環状の一部からさらに環状の外方もしくは環状の内方に飛び出した突片を誤装着防止部として有することを特徴とする防水ハウジング。
【請求項５】
上記請求項１の防止ハウジングにおいて、
上記シール部材は、その表面上の全体もしくは一部に、他の部分とは異なる外観処理を誤装着防止部  として有することを特徴とする防水ハウジング。
【請求項６】
上記請求項５の防止ハウジングにおいて、
上記外観処理は、他の部分と異なる色を有していることを特徴とする防水ハウジング。
【請求項７】
上記請求項５の防止ハウジングにおいて、
上記外観処理は、他の部分と異なる表面形態を有していることを特徴とする防水ハウジング。
【発明の詳細な説明】
【技術分野】
【０００１】
本発明は、水中撮影のために内部にカメラなどを収納する防水ハウジングに関する。
【背景技術】
【０００２】
近年、アウトドアスポーツの普及により、銀塩カメラ、デジタルカメラ、デジタルビデオカメラ（報道用、映画用のものを含む）などに防水ハウジング（防水ハウジング、防水プロテクタ）を装着して、ダイビング時に水中の生物などを撮影する水中写真愛好者が増加している。
【０００３】
内蔵するカメラを水から隔離するために、防水ハウジングには完全な防水性が必要とされる。一般的に、防水ハウジングはヒンジ止めされた一対のケース（ハウジング部材）を有し、一対のケースの対向する内端面、たとえば、リアケースの内端面に環状の収納溝を形成し、この収納溝に環状のパッキング（シール部材）が収納、装着されている。そして、リアケースをフロントケースに被せて一対のケースを閉じれば、フロントケースの内端面が収納溝内のパッキングに押圧される。すると、一対のケースの内端面間でパッキングが挟持、密着され、一対のケース間の内部空間が水密化されて、防水ハウジンの防水性が確保される。
【０００４】
水中撮影の合間に、水中から出て、防水ハウジングのリアケースを開けて中のカメラが防水ハウジングから取り出される。水中撮影においては、海水に面する部分でパッキングが海水に浸され、砂などがパッキングの周りに付着するのは避けられない。そのため、カメラを防水ハウジングから取り出す際には、パッキングをその収納溝から取り外して、パッキングを水洗いして砂などを除くとともに、濡らしたタオルなどで収納溝を拭いて収納溝から砂などを除去している。そして、砂などを除去してからパッキングを収納溝に再び装着している。
【０００５】
従来の防水ハウジングにおいては、図１２に示すように、中心線Ｘ、Ｙのいずれに対しても明らかに非対称なパッキング３００が使用されているものがある（たとえば、特開２０００−２４１８６５号公報）。このような非対称なパッキング３００においては、パッキングを上下逆に、または左右逆に装着しようとしても、収納溝の形状と収納溝に収納、装着しようとするパッキングの形状とが大きく相違するため、上下逆に、または左右逆に収納溝に装着する事態（誤装着）は考えられない。つまり、パッキングは軟質ゴム、軟質プラスチックなどの弾性材から弾性変形可能に成形されているとはいえ、上下逆に、または左右逆に装着しようとしても、パッキングが収納溝に円滑に収納されず、この時点で間違いに気付いて誤装着が事前に防止される。
【特許文献１】特開２０００−２４１８６５号公報
【発明の開示】
【発明が解決しようとする課題】
【０００６】
しかし、中心線Ｘ、Ｙに対するずれが僅かで一見すると対称と思われる程度であれば（中心線Ｘ、Ｙに対してほぼ対称(線対称)であれば）、誤装着が起こり得る。つまり、中心線Ｘ、Ｙに対するずれが僅かでパッキングの弾性変形の範囲内であれば、パッキングが上下逆に、または左右逆のまま装着（誤装着）される。
パッキングの誤装着によって、一対のケース間の内部空間の水密化、防水性という重大な機能の損なわれるおそれがあるにも拘らず、従来においては、パッキングの誤装着を効果的に防止する防水ハウジングが提案されていない。
【課題を解決するための手段】
【０００７】
本発明によれば、防水ハウジングは、第１のハウジング部材と；上記第１のハウジング部材とともに内部空間を形成する第２のハウジング部材と；上記第１のハウジング部材と上記第２のハウジング部材との間に挟まれた上記内部空間を水密するためのものであって、少なくとも線対称である対称性を有する環状に形成され、上記第１のハウジング部材もしくは上記第２のハウジング部材に装着のとき、該装着が間違って装着されるときは該装着が不能とされるか、もしくは装着の後に誤装着したことを判別可能とする誤装着防止手段を有するシール部材と；を備えている。
【発明の効果】
【０００８】
本発明では、シール部材が、装着が間違って装着されるときはその装着が不能とされるか、もしくは装着の後に誤装着したことを判別可能とする誤装着防止手段を有しているため、誤装着自体が不可能となるか、誤装着防止手段から誤装着が判別される。
【発明を実施するための最良の形態】
【０００９】
本発明では、シール部材をその幅方向で上下非対称に形成したり、外部に露出する突片をシール部材に設けるなどして、間違って装着されるときはその装着が不能とされるか、もしくは装着の後に誤装着したことを判別可能とする誤装着防止手段をシール部材が有して構成されている。
【実施例１】
【００１０】
以下、図面を参照しながら本発明の各実施例を詳細に説明する。図１は本発明の実施例１に係る防水ハウジングの縦断面図を示す。
図１に示すように、防水ハウジング１０はハウジング部材である一対のケース（フロントケース、リアケース）２１、２２と、一対のケース間に装着されるシール部材であるパッキング３０とを備えて構成されている。フロントケース２１、リアケース２２は、いずれも、ポリカーボネートなどの透明プラスチックから中空形状に成形され、一対のケース間に形成された内部空間１０ａにカメラ（図示しない）が収納される。一対のケースはヒンジ止めされ、バックル（図示しない）でロックすることにより、内部空間１０ａが閉じられる。なお、フロントケース２１はカメラの主要部を収納する本体（防水ハウジング本体）として、リアケース２２はカメラの一部を収納するととともに本体の開口背面を閉じる防水カバーとして機能する。
【００１１】
パッキング３０は、弾性変形可能な軟質ゴム、軟質プラスチックなどの弾性材から成形されている。フロントケース２１、リアケース２２の対向する内端面には、パッキング３０の収納、装着される収納溝が設けられており、実施例ではリアケースの内端面２２ａを全周にわたって環状に凹溝形状の段付形状として収納溝２２ｂを形成し、フロントケースの内端面２１ａは、リアケースとの間でパッキングを挟持可能な段付形状となっている。そして、リアケースの内端面２２ａに形成された収納溝２２ｂにパッキング３０を収納、装着し、フロントケース２１、リアケース２２を突き合せて内端面２１ａ、２２ａ間でパッキングを挟持し変形させることにより、一対のケース間の内部空間１０ａを水密化して防水ハウジング１０の防水性が確保される。
なお、図１において、パッキング３０は変形前の形状で図示されている。また、収納溝をリアケース側でなくフロントケース側に形成してもよく、リアケケース２２、フロントケース２１に収納溝の一部を形成してもよい。
【００１２】
図２はパッキングを示し、（Ａ）はパッキングの平面図、（Ｂ）は（Ａ）のＢ方向から見たパッキングの断面図および拡大部分断面図、（Ｃ）は（Ａ）の矢視Ｃ方向から見たパッキングの部分断面図を示す。
図２に示すように、パッキング３０は、少なくとも線対称である対称性を有して、つまり、誤装着しても気付かない程度の対称性（中心線ＸおよびＹに対してほぼ線対称である対称性）を有して環状に形成されている。また、パッキング３０は幅方向（肉厚方向）に縦長のパッキング本体（第１の環状帯）３０ａと、全周においてパッキング本体から外方に伸びた突部形状のつば（第２の環状帯）３０ｂとからなる略Ｔ字形の断面に成形されている。ここで、パッキング本体３０ａの形成された平面に垂直な方向である幅方向においてパッキング本体の幅の中心線Ｏ1上でない位置に（幅中心に位置しない位置に）、つば３０ｂは形成されている。すなわち、実施例では、パッキング本体３０ａはつば３０ｂに対して（つば３０ｂの幅方向の中心線Ｏ2に対して）上下非対称に、たとえば、図２（Ｂ）に示すように、上半部３０ａ1の厚さｔ1は下半部３０ａ2の厚さｔ2より大きく形成されている。また、中心線Ｘ、Ｙに対して非対称の位置で、実施例では、図２（Ａ）に示すように、右下隅に隣接した部分において、つば３０ｂからさらに外方に飛び出した突片（突部）３０ｃがつばの一部に形成されている。
【００１３】
図３（Ａ）（Ｂ）および図４（Ａ）（Ｂ）は、パッキングが正しく装着される場合、および誤って装着される場合での挟持前および挟持後のパッキングの部分断面図を示し、図１のＤに示す部分に対応する。
図３（Ａ）に示すように、パッキング３０がリアケースの収納溝２２ｂに収納されたとき、パッキング本体の上半部３０ａ1の一部３０ａ'がリアケースから上方に突出する大きさに、パッキング本体は形成されている。そして、正しく装着された場合には、つば３０ｂはリアケースの内端面２２ａにほぼ接触して位置している。内部空間１０ａ（図１参照）を閉じるようにフロントケース２１、リアケース２２を突き合わせれば、パッキングの突出部３０ａ'を圧搾（押圧）するだけで、つば３０ｂが対向する内端面２１ａ、２２ａ間に挟持され、大きな抵抗を受けることなく、パッキング３０が一対のケース間に挟持される。そして、突出部３０ａ'の圧搾に対応する変形のもとで、パッキング３０は周りの壁面に密着して一対のケース間の内部空間１０ａが水密化されて、防水性が得られる。
【００１４】
これに対して、誤装着された場合には、たとえば、図４（Ａ）に示すように、パッキング３０が収納溝２２ｂに上下逆に収納されると、つば３０ｂはリアケースの内端面２２ａから大きく離反して位置する。そのため、図４（Ｂ）に示すように、つば３０ｂを大きく変形してリアケースの内端面２２ａに押圧させなければ、パッキング３０を一対のケース間に挟持することができない。そして、この状態でつば３０ｂを大きく変形させるためには、大きな抵抗力を受けるため、誤装着に容易に気付くことになる。従って、上下をもとに戻せばパッキングを正しく装着できる。
【００１５】
このように、つば３０ｂに対して上下非対称にパッキング本体３０ａを形成することにより、上下逆の装着（誤装着）が現実的に不可能となり、誤装着不能となる。また、上下逆の装着においては、大きな抵抗を受けることにより、誤装着が容易に判別できる。つまり、つば３０ｂに対して上下非対称のパッキング本体３０ａは誤装着を不能とするか、誤装着を判別する誤装着防止手段として機能する。
【００１６】
実施例では、パッキング本体の上半部３０ａ1の厚さｔ1を下半部３０ａ2の厚さｔ2より大きく形成することにより、パッキング本体３０ａがつば３０ｂに対して上下非対称に形成されている。しかしながら、パッキング本体３０ａの形状はつば３０ｂに対して上下非対称であれば足り、これに限定されない。
図５（Ａ）（Ｂ）は変形例に係るパッキングの拡大部分断面図を示し、必要に応じてリアケース、フロントケースを加えている。
図５（Ａ）（Ｂ）のいずれにおいても、つば３０ｂの幅方向の中心線Ｏ2に対してパッキングのパッキング本体３０ａの上半部３０ａ1、下半部３０ａ2はパッキング被押圧方向（図５の紙面と平行な方向）の厚さが等しいにも拘らず、その形状を相違させることによって上下に非対称な形状となっている。このような断面形状のパッキング３０においても、パッキングの誤装着が不能となるか、誤装着が判別可能となる。なお、パッキング本体３０ａの上半部３０ａ1、下半部３０ａ2の厚さが等しい構成においては、パッキング本体の幅方向の中心線Ｏ1、つば３０ｂの幅方向の中心線Ｏ2は一致する。
【００１７】
図６はリアケースの収納溝へのパッキングの装着前におけるリアケース、パッキングの分解斜視図を示す。また、図７はリアケースを示し、（Ａ）はリアケースの平面図を、（Ｂ）は（Ａ）の矢視Ｂ方向から見た拡大部分断面図を示す。
図６に示すように、リアケース２２は中間部２２ｃ’の切り欠かれた筒状のヒンジ片２２ｃをその一端に有している。また、図７（Ａ）に示すように、フロントケース２１にも対応する筒状のヒンジ片２１ｃが形成されており、このヒンジ片２１ｃをリアケースのヒンジ片２２ｃの中間切り欠き部２２ｃ’に挿入、整列し、ピンジピン２３をヒンジ片２１ｃ、２２ｃの挿通孔（図示しない）に挿通、嵌合させることにより、フロントケース２１、リアケース２２がヒンジ結合される。
【００１８】
パッキングの突片３０ｃは、図７（Ａ）に一点鎖線で示すように、リアケースのヒンジ片２２ｃとの干渉を避けるように形成されている。また、ヒンジ片２２ｃに隣接してリアケース２２の右上隅に、パッキング被押圧方向（図面の紙面に垂直方向）に突出した突状部（肉厚部）２２ｄが形成されている。
【００１９】
図８はリアケースの四隅の部分平面図を示し、（Ａ）（Ｂ）（Ｃ）（Ｄ）はリアケースの右下隅、右上隅、左下隅、左上隅の部分平面図を示す。
図２に示すように、パッキングの突片３０ｃは右下隅に隣接して形成されているから、パッキング３０が正しく装着されれば、パッキングの突片３０ｃは、図８（Ａ）に示すように、リアケースの右下隅に位置する。この位置で突片３０ｃは、図７（Ａ）、図８（Ａ）に示すように、リアケースのヒンジ片２２ｃを避けて位置するため、フロントケース２１、リアケース２２の突き合せ、ロックが円滑に行える。
【００２０】
誤装着には、三つのパターンがある。すなわち、図２において、パッキング３０が
（１）中心線Ｘに対して対称に装着した場合（中心線Ｘに対して反転して装着した場合；線対称装着）、
（２）中心線Ｙに対して対称に装着した場合（中心線Ｙに対して反転して装着した場合；線対称装着）、
（３）点Ｏに対して対称に装着した場合（点対称装着）がある。
なお、パターン（１）（２）ではパッキング３０は上下逆に、パターン（３）では、左右逆に装着されることとなる。
【００２１】
パターン（１）の場合、すなわち、図２において中心線Ｘに対して反転させてパッキング３０を装着しようとすれば、上記のように、パッキングのつば３０ｂに対して上下非対称にパッキング本体３０ａが形成されているため、装着自体が不能となる。さらに、リアケース２２の右上隅の突状部２２ｄが、図８（Ｂ）に示すように、パッキングの突片３０ｃと干渉する位置に設けられているため、パッキングの突片３０ｃがリアケース２２の突状部２２ｄに乗り上げて位置する。パッキングの突片３０ｃがリアケースの突状部２２ｄに乗り上げた状態では、フロントケース２１の内端面２１ａがパッキングの突片３０ｃに押圧されて大きな抵抗が生じるため、リアケース内端面の収納溝２２ｂ内のパッキング３０自体を圧搾、変形する前に誤装着に気付き、誤装着の生じる余地はない。すなわち、この場合には誤装着が不能となる。
【００２２】
また、パターン（２）の場合、すなわち、図２において中心線Ｙに対して反転させてパッキング３０を装着しようとすれば、図８（Ｃ）に示すように、つば３０ｂの外方に位置する突片３０ｃはリアケース２２の左下隅の外縁を越えて外部に露出する。そして、パッキングの突片３０ｃが露出することによって、誤装着が容易に判別される。また、突片３０ｃの露出に気付かないとしても、パッキング３０が上下逆に装着されているため、誤装着が不能となり、誤装着が防止される。
【００２３】
さらに、パターン（３）の場合、すなわち、図２において点Ｏに対して１８０回転した状態でパッキング３０を装着しようとすれば、図８（Ｄ）に示すように、突片３０ｃがリアケース２２の左上隅の外縁を越えて外部に露出する。そして、パッキングの突片３０ｃが露出することによって、誤装着が容易に判別される。
【００２４】
このように、パッキングの突片３０ｃは誤装着を判別する誤装着防止手段として機能するとともに、リアケースの突状部２２ｄと組み合わされて誤装着を不能とする誤装着防止手段としても機能する。
【実施例２】
【００２５】
上記実施例１では、パターン（１）において、パッキングの突片３０ｃの乗り上げる突状部２２ｄをリアケース２２に形成している。しかしながら、リアケース２２に限定されず、図７（Ａ）に一点鎖線で示すように、フロントケース２１側にパッキングの突片３０ｃの乗り上げる突状部２１ｄを形成してもよい。
なお以下の実施例においては、実施例１と共通する構成についての説明は省略し、実施例１と相違する構成についてのみ説明する。
【００２６】
また、パターン（２）（３）において、図７（Ａ）に示すように、リアケース２２の左下隅、左上隅でその外縁を延長して形成し、パッキングの突片３０ｃの乗り上げる突状部２２ｄをリアケース２２の左下隅、左上隅の延長外縁に形成してもよいし、リアケース２２でなくフロントケースの対応する隅部に突状部２２ｄを設けてもよい。もちろん、突状部２２ｄをリアケース側に形成した場合に、リアケース２２の左下隅、左上隅の延長外縁に対応する延長外縁がフロントケースにも設けられるが、フロントケース側に突状部は形成されない。
突状部２２ｄをリアケース２２の左下隅、左上隅の延長外縁に形成した構成では、パターン（２）（３）においても、パターン（１）と同様に、パッキングの突片３０ｃがリアケース２２の突状部２２ｄに乗り上げて位置するため、フロントケース２１の内端面２１ａがパッキングの突片３０ｃに押圧されて大きな抵抗が生じて、リアケース内端面の収納溝２２ｂ内のパッキング３０を圧搾、変形するまでもなく、誤装着に気付き、誤装着の生じる余地はない。特にこの構成は、パターン（２）においても誤装着を不能とするため、パターン（２）において有効に機能する。
【実施例３】
【００２７】
図９は他の実施例（実施例３）に係る防水ハウジングにおけるパッキングを示し、（Ａ）はパッキングの平面図、（Ｂ）（Ｃ）は（Ａ）の矢視Ｂ方向およびＣ方向から見た部分拡大断面図を示す。この実施例３においては、実施例１におけるパッキングの突片３０ｃの代わりに、つばと同じ高さ位置でパッキング本体から内方に伸びた突部を有してパッキングが形成されている。
すなわち、図９（Ａ）（Ｂ）に示すように、パッキング１３０は、被押圧方向である幅方向に縦長のパッキング本体１３０ａと、パッキング本体から外方に伸びた突部形状のつば１３０ｂと、つばと同じ高さ位置でパッキング本体から内方に伸びた突部１３０ｃとを有して形成され、突部１３０ｃの形成された部分では略クロス形の断面に、それ以外の部分では略Ｔ字形の断面に成形されている。突部１３０ｃは、平面上で非対称の位置、すなわち、中心線Ｘ、Ｙからずれた位置、実施例では、右下隅に隣接した位置に設けられている。
図１０は実施例３におけるリアケースの部分平面図を示し、図１０に示すように、パッキングの突部１３０ｃの挿通可能な切り欠き１２２ｅがリアケース１２２の段付内端面１２２ａに設けられている。
【００２８】
このように、実施例３では、つば１３０ｂと同じ位置でパッキング本体１３０ａから内方に伸びた突部１３０ｃが平面上で非対称の位置に設けられるとともに、対応する切り欠き１２２ｅがリアケース１２２の内端面１２２ａに設けられている。そのため、パッキング１３０がリアケースの収納溝１２２ｂに正しく収納されて、パッキングの突部１３０ｃがリアケースの切り欠き１２２ｅに挿通されれば、パッキングの装着が可能となる。突部１３０ｃが平面上で非対称な位置にあるため、これ以外の場合、すなわち、上記実施例１において述べたパターン（１）（２）（３）の場合には、パッキングの突部１３０ｃがリアケース１２２の右上隅、左下隅、左上隅の対応する位置におかれる。しかし、リアケース１２２の右上隅、左下隅、左上隅でリアケースの内端面１２２ａには対応する切り欠き１２２ｅが形成されていないため、突部１３０ｃはリアケースの内端面に乗り上げた状態となる。この状態では、リアケースの内端面に乗り上げた突部１３０ｃが邪魔してパッキング１３０の装着が不能となる。また、装着時の抵抗の大きさから誤装着が容易に判別できる。
【００２９】
実施例３では、パッキングの突部１３０の存在によって、リアケースの右上隅、左下隅、左上隅に対応する状態での装着（誤装着）が不能とされるか、もしくは容易に判別され、突部１３０ｃが誤装着防止手段として機能する。
また、この実施例においても、図９（Ｂ）に示すように、パッキングのパッキング本体１３０ａはつば１３０ｂに対して上下非対称に形成されているため、リアケースの収納溝にパッキングを上下逆に収納すれば、実施例１で述べたように、装着が不能となり、この観点からも誤装着が防止できる。
【実施例４】
【００３０】
図１１は実施例４に係る防水ハウジングにおけるパッキングを示し、（Ａ）はパッキングの平面図、（Ｂ）は（Ａ）の矢視Ｂ方向から見た部分拡大断面図を示す。この実施例では、パッキングの表面（リアケースの収納溝に収納したとき収納溝の外側に位置するパッキング面）または裏面のいずれかの一部に他と異なる外観処理が施されている。裏面の外観処理よりも表面の外観処理の方が目立つため、外観処理は、通常、パッキングの表面に施される。他と異なる外観処理は、図１０（Ａ）において、中心線Ｘ、Ｙからずれた位置に施され、図示の実施例では、たとえば、右下隅において、パッキング２３０の表面の一部２３０ｄに他の部分とは異なる着色を施している。パッキング２３０の部分着色は、たとえば、パッキングの成形過程において容易に行なえる。
このように中心線Ｘ、Ｙからずれた位置でパッキング２３０を部分的に着色すれば、収納溝へのパッキングの収納の時点で着色部分２３０ｄの位置から、誤装着が事前に判別できる。たとえば、着色部分２３０ｄが右下隅に位置する位置を正しい装着位置とし、右上隅、左下隅、左上隅に位置すれば、誤装着として判別される。
【００３１】
この実施例においても、図１１（Ｂ）に示すように、パッキングのパッキング本体２３０ａはつば２３０ｂに対して上下非対称に形成されている。そのため、判別において誤装着に気付かずリアケースの収納溝にパッキングを上下逆に収納しても装着が不能となり、誤装着が防止できる。
【００３２】
外観処理は、その外観処理が視覚的に、または触覚的に認識できれば足り、着色に限定されず、他の部分と異なる表面形態としてもよい。たとえば、パッキング２３０の水密を損なわない軽度の図形、模様、表面処理などを、中心線Ｘ、Ｙからずれた位置でパッキングの表面に部分的に設けてもよい。また、着色と表面形態とを組み合わせてもよい。
【００３３】
外観処理を表面または裏面のいずれかの一部に施せば、パターン（１）（２）（３）のいずれにおいても誤装着が事前に判別できる。しかしながら、一部でなく全体に施してもよく、この場合には、パッキングを上下逆に装着したパターン（１）（２）の誤装着を事前に判別できる。
【００３４】
上記のように、本発明では、シール部材が、装着が間違って装着されるときはその装着が不能とされるか、もしくは装着の後に誤装着したことを判別可能とする誤装着防止手段を有しているため、誤装着自体が不可能となるか、誤装着防止手段から誤装着が判別される。
【産業上の利用可能性】
【００３５】
本発明によれば、防水ハウジングに適するとはいえ、これに限定されず、パッキングにゴミなどの付着しやすい環境で使用されてパッキングの装着が頻繁になされる防水機器に本発明が広範囲に応用できる。
【図面の簡単な説明】
【００３６】
【図１】本発明の実施例１に係る防水ハウジングの縦断面図を示す。
【図２】（Ａ）はパッキングの平面図、（Ｂ）は（Ａ）の矢視Ｂ方向から見たパッキングの断面図および拡大部分断面図、（Ｃ）は（Ａ）の矢視Ｃ方向から見たパッキングの部分断面図を示す。
【図３】（Ａ）（Ｂ）は、パッキングが正しく装着される場合での挟持前および挟持後のパッキングの部分断面図を示す。
【図４】（Ａ）（Ｂ）はパッキングが誤って装着される場合での挟持前および挟持後のパッキングの部分断面図を示す。
【図５】（Ａ）（Ｂ）は変形例に係るパッキングの拡大部分断面図を示す。
【図６】収納溝へのパッキングの収納前におけるリアケース、パッキングの分解斜視図を示す。
【図７】（Ａ）はリアケースの平面図を、（Ｂ）は（Ａ）の矢視Ｂ方向から見たリアケースの拡大部分断面図を示す。
【図８】リアケースの四隅の部分平面図を示し、（Ａ）（Ｂ）（Ｃ）（Ｄ）はリアケースの右下隅、右上隅、左下隅、左上隅の部分平面図を示す。
【図９】実施例３に係る防水ハウジングにおけるパッキングを示し、（Ａ）はパッキングの平面図、（Ｂ）（Ｃ）は（Ａ）の矢視Ｂ方向およびＣ方向から見た部分拡大断面図を示す。
【図１０】実施例３におけるリアケースの部分平面図を示す。
【図１１】実施例４に係る防水ハウジングにおけるパッキングを示し、（Ａ）はパッキングの平面図、（Ｂ）は（Ａ）の矢視Ｂ方向から見た部分拡大断面図を示す。
【図１２】公知のパッキングの斜視図を示す。
【符号の説明】
【００３７】
１０        防水ハウジング
２１        フロントケース（ハウジング部材）
２１ａ      内端面
２１ｄ      突状部
２２、１２２              リアケース（ハウジング部材）
２２ａ、１２２ａ   内端面
２２ｂ、１２２ｂ   収納溝
２２ｄ      突状部
１２２ｅ    切り欠き
３０、１３０、２３０      パッキング（シール部材）
３０ａ、１３０ａ、 パッキング本体（第１の環状帯）
３０ｂ、１３０ｂ   つば（第２の環状帯）
１３０ｃ    突片
２３０ｄ    着色部分
【図１】
2007199233.tif 000003
【図２】
2007199233.tif 000004
【図３】
2007199233.tif 000005
【図４】
2007199233.tif 000006
【図５】
2007199233.tif 000007
【図６】
2007199233.tif 000008
【図７】
2007199233.tif 000009
【図８】
2007199233.tif 000010
【図９】
2007199233.tif 000011
【図１０】
2007199233.tif 000012
【図１１】
2007199233.tif 000013
【図１２】
2007199233.tif 000014